(57)【要約】【課題】  フォーカシングコイルの位置決めを簡単にできるようにしてレンズホルダーアセンブリの組み立て作業が簡単になるようにした光ピックアップを提供する。【解決手段】  本発明は、対物レンズ（２）を保持するとともに該対物レンズをそのフォーカス方向に対して位置調整するためのフォーカシングコイル（３）を備えた対物レンズホルダー（１）を有する光ピックアップに適用される。前記対物レンズホルダーは、前記フォーカシングコイルを一方向から収容可能な２つの収容部（１−２）を有して該収容部にそれぞれフォーカシングコイルを固着するように構成されている。前記対物レンズホルダーはまた、前記フォーカシングコイルを前記収容部内で位置決めを行う際に該フォーカシングコイルの内径面に当接する位置決め用治具（６）を前記一方向とは反対方向から受入れ可能な受入れ部（１−６）を有するとともに、該受入れ部の内壁には前記位置決め用治具の外面に当接してその位置決めを行うための突条（１−７）を設けた。【選択図】      図４
2006012354.tif 000002
【特許請求の範囲】
【請求項１】
対物レンズを保持するとともに該対物レンズをそのフォーカス方向に対して位置調整するためのフォーカシングコイルを収容するための対物レンズホルダーを有する光ピックアップにおいて、
前記対物レンズホルダーは、前記フォーカシングコイルを一方向から収容可能な収容部を有して該収容部に空芯のフォーカシングコイルを固着するように構成されており、
前記対物レンズホルダーはまた、前記フォーカシングコイルを前記収容部内で位置決めを行う際に該フォーカシングコイルの内径面に当接する位置決め用治具を前記一方向とは反対方向から受入れ可能な受入れ部を有するとともに、該受入れ部の内壁に前記位置決め用治具の外面に当接してその位置決めを行うための突起を有することを特徴とする光ピックアップ。
【請求項２】
矩形状の前記フォーカシングコイルを１つ備え、前記位置決め用治具は、少なくとも前記フォーカシングコイルの４つの内径側コーナ部のうちの少なくとも２つに当接する当接部を有するものが使用され、前記受入れ部の前記突起は前記位置決め用治具の前記当接部の外面に対してその周方向に接する突条で構成されることを特徴とする請求項１に記載の光ピックアップ。
【請求項３】
前記対物レンズを間にして矩形状の前記フォーカシングコイルを少なくとも２つ備え、前記位置決め用治具は前記少なくとも２つのフォーカシングコイルの内径面に当接する少なくとも２つの当接部を有するものが使用され、前記対物レンズホルダーは前記少なくとも２つの当接部を受入れ可能な少なくとも２つの受入れ部を有し、前記突起として、各受入れ部の内壁に前記当接部の外面に対してその周方向に当接する突条が設けられることを特徴とする請求項１に記載の光ピックアップ。
【請求項４】
前記収容部の内壁からの前記突条の突出長を、前記フォーカシングコイルの内径と外径との差に略等しい値とすることを特徴とする請求項２あるいは３に記載の光ピックアップ。
【請求項５】
対物レンズを保持するとともに該対物レンズをそのフォーカス方向に対して位置調整するためのフォーカシングコイルを収容するための対物レンズホルダーを有する光ピックアップの作製方法において、
前記対物レンズホルダーは、前記フォーカシングコイルを一方向から収容可能な収容部を有して該収容部に空芯のフォーカシングコイルを固着するように構成されており、
前記対物レンズホルダーにはまた、前記フォーカシングコイルを前記収容部内で位置決めを行う際に該フォーカシングコイルの内径面に当接する位置決め用治具を前記一方向とは反対方向から受入れ可能な受入れ部を形成するとともに、該受入れ部の内壁に前記位置決め用治具の外面に当接してその位置決めを行うための突起を形成し、
前記収容部に前記受入れ部を通して前記反対方向から前記位置決め用治具を挿入する一方、前記収容部内に位置する前記位置決め用治具に前記一方向から前記フォーカシングコイルを装着して前記突起で係止される位置で固着した後、前記位置決め用治具を抜き取るようにしたことを特徴とする光ピックアップの作製方法。
【請求項６】
前記光ピックアップは矩形状の前記フォーカシングコイルを１つ備えるものであり、前記位置決め用治具として、少なくとも前記フォーカシングコイルの４つの内径側コーナ部のうちの少なくとも２つに当接する当接部を有するものを使用することを特徴とし、前記受入れ部の前記突起は前記位置決め用治具の前記当接部の外面に対してその周方向に接する突条で構成されている請求項５に記載の光ピックアップの作製方法。
【請求項７】
前記光ピックアップは前記対物レンズを間にして矩形状の前記フォーカシングコイルを少なくとも２つ備えるものであり、前記位置決め用治具として、前記少なくとも２つのフォーカシングコイルの内径面に当接する少なくとも２つの当接部を有するものを使用することを特徴とし、前記対物レンズホルダーには前記少なくとも２つの当接部を受入れ可能な少なくとも２つの受入れ部が形成され、前記突起として、各受入れ部の内壁に前記当接部の外面に対してその周方向に当接する突条が設けられていることを特徴とする請求項５に記載の光ピックアップの作製方法。
【発明の詳細な説明】
【技術分野】
【０００１】
本発明は光ディスクドライブの光ピックアップに関し、特に光ピックアップに用いられる対物レンズホルダーアセンブリ及びその作製方法に関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、光ディスクからの反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。対物レンズは対物レンズホルダーで保持され、対物レンズ駆動装置でフォーカス方向及びトラック方向に駆動される。
【０００５】
このために、対物レンズホルダーにはフォーカシングコイルやトラッキングコイル、場合によってはチルティングコイルが巻回しあるいは取り付けられ、これらのコイルを磁気回路のギャップ内に部分的に位置させるようにしている。対物レンズと対物レンズホルダーと上記各種コイルとを組み合わせたものは対物レンズホルダーアセンブリと呼ばれている。対物レンズホルダーアセンブリは、複数のサスペンションワイヤによって弾性支持される。
【０００６】
対物レンズ駆動装置は光ピックアップアクチュエータとも呼ばれ、各コイルに流れる電流を制御して対物レンズの位置及び傾きを微調整することでフォーカシング制御及びトラッキング制御等を行う。
【０００７】
ところで、ノート型パーソナルコンピュータ（以下、ノートＰＣと呼ぶ）等の光ディスクドライブにおいては、高さサイズの小さい所謂、薄型（スリム型）ドライブが用いられており、そのために光ピックアップ及びそれに用いられる対物レンズ駆動装置も同様に薄型構造をとっている（例えば、特許文献１、参照）。
【０００８】
図６は従来の光ピックアップにおける対物レンズ駆動装置の斜視図である。また、図７は、図６の対物レンズ駆動装置を裏面側から見た斜視図である。
【０００９】
図８は図６及び図７の対物レンズ駆動装置における対物レンズホルダーアセンブリの斜視図である。図９は図８の対物レンズホルダーアセンブリを裏面側から見た斜視図である。なお、特許文献１においても、基本構成は図６乃至図９に記載されたものと同様である。
【００１０】
図６及び図７において、光ピックアップの対物レンズ駆動装置１１０は、対物レンズホルダーアセンブリ（以下、レンズホルダーアセンブリと略称する）５０とダンパーベース２０とを備えている。対物レンズホルダーアセンブリ５０は、対物レンズ５６を保持した対物レンズホルダー（以下、レンズホルダーと略称する）５１を有する。
【００１１】
ダンパーベース２０は、タンジェンシャルＴｇ方向（以下では、これを長さ方向と呼ぶことがある）両側に、溝２３を介して、長さ方向に設けられた支持部２１，２２を夫々備えている。特に、支持部２１は、有底の筒状体を形成するように作られており、開口している方をレンズホルダー５１側に向けている。長さ方向の両側には夫々上下で一対のサスペンションワイヤ３１が備えられる。各サスペンションワイヤ３１の一端は、レンズホルダー５１に設けられた固定部５７に固定されている。各サスペンションワイヤ３１の他端は、支持部２１の筒状体の底部及び支持部２２を貫通して支持部２２から少し突出している。各サスペンションワイヤ３１は、支持部２１の筒状体の底部，支持部２２に設けられた取付け部２４，２５で固定支持されている。
【００１２】
図６及び図７に加えて図８及び図９をも参照すると、レンズホルダー５１は、貫通穴５４ａを持つ枠型のフレーム部５４と貫通穴５５ａを持つ略三角形状のレンズ装着部５５とを備えている。レンズ装着部５５の貫通穴５５ａには、対物レンズ５６が装着されている。フレーム部５４には、底側の端部から貫通穴５４ａを狭めるように底板部６２が設けられている。また、貫通穴５４ａの長さ方向の略中間部にトラッキングＴｒ方向（以下では、これを幅方向と呼ぶことがある）に並んで一対のトラッキングコイル５８，５８が設けられている。このために、フレーム部５４の幅方向の両内壁にはそれぞれ、トラッキングコイル５８，５８を受けるための凹部５４ｂ、５４ｂが形成されている。
【００１３】
貫通穴５４ａはトラッキングコイル５８，５８によって２つの部分に分割される。分割された２つの部分の内のレンズ装着部５５と反対側の部分の内周面には、巻枠の周囲に巻回されたフォーカシングコイル５２が、底板部６２に一端側を載せるように装着されている。また、凹部５４ｂ、５４ｂに対応した位置であってレンズホルダー５１のフレーム部５４の両外側にはそれぞれ、一対のサスペンションワイヤ３１，３１の一端を固定するための一対の固定部５７が設けられている。
【００１４】
図６及び図７に最も良く示されるように、トラッキングコイル５８，５８によって分割された２つの部分の内のフォーカシングコイル５２とは反対側の部分内と、フォーカシングコイル５２内とを夫々貫通するように、一対の角板状のヨーク５３，５３が設けられている。ヨーク５３，５３の対向面には図示しないマグネットが取り付けられている。これらのヨーク５３，５３はその下端が図示しない光学ベースに直接固定される。この場合、ヨーク５３，５３は光学ベースに形成されたヨークを介して磁気的に結合される。ヨーク５３，５３はまたあらかじめＵ字形状に作られていても良い。この場合も、Ｕ字形状の底の部分が光学ベースに固定される。
【００１５】
このような構成の従来の薄型光ディスクドライブの光ピックアップのレンズホルダーアセンブリにおいては、以下のような問題点を有している。フォーカシングコイル５２は、フレーム部５４の貫通穴５４ａに挿入するようにして接着剤等により貫通穴５４ａの内壁に固着される。その際、フォーカシングコイル５２の中心軸と貫通穴５４ａの中心軸とが一致するようにフォーカシングコイル５２を貫通穴５４ａ内で高精度にて位置決めする必要がある。これは、フレーム部５４におけるフォーカシングコイル５２の位置がずれていると、フォーカシング精度にずれあるいは誤差を生じるからである。
【００１６】
ところが、フォーカシングコイル５２のような空芯コイルは、通常、その内径側が寸法精度上の基準を持つように作製され、外径側については寸法にばらつきが生じやすい。この場合、フレーム部５４の貫通穴５４ａの内壁に対してフォーカシングコイル５２の外径側を固着する際にフォーカシングコイル５２の微妙な位置決め調整が必要となり、この位置決め調整は容易ではない。これは、レンズホルダーアセンブリの組み立て作業が難しくなることを意味する。このような問題点は、フレーム部５４の貫通穴５４ａの寸法精度を向上させたとしても、フォーカシングコイル５２の外径側の寸法にばらつきがある限り解決し得ない。
【００１７】
【特許文献１】特開２０００−３２２７５２号公報
【発明の開示】
【発明が解決しようとする課題】
【００１８】
そこで、本発明の技術的課題は、フォーカシングコイルの位置決めを簡単にできるようにしてレンズホルダーアセンブリの組み立て作業が簡単になるようにした光ピックアップを提供することにある。
【００１９】
つまり、本発明は、フォーカシングコイルの外径側の寸法にばらつきがあったとしても、その影響を受けることなく位置決めを簡単に行うことができるようにした光ピックアップを提供しようとするものである。
【００２０】
本発明の他の技術的課題は、上記光ピックアップ、特にレンズホルダーアセンブリの作製方法を提供することにある。
【課題を解決するための手段】
【００２１】
本発明によれば、対物レンズ（２）を保持するとともに該対物レンズをそのフォーカス方向に対して位置調整するためのフォーカシングコイル（３）を収容するための対物レンズホルダー（１）を有する光ピックアップにおいて、前記対物レンズホルダーは、前記フォーカシングコイルを一方向から収容可能な収容部（１−２）を有して該収容部に空芯のフォーカシングコイル（３）を固着するように構成されており、前記対物レンズホルダーはまた、前記フォーカシングコイルを前記収容部内で位置決めを行う際に該フォーカシングコイルの内径面に当接する位置決め用治具（６）を前記一方向とは反対方向から受入れ可能な受入れ部（１−６）を有するとともに、該受入れ部の内壁に前記位置決め用治具の外面に当接してその位置決めを行うための突起（１−７）を有することを特徴とする光ピックアップが提供される。
【００２２】
なお、矩形状の前記フォーカシングコイルを１つ備える場合、前記位置決め用治具は、少なくとも前記フォーカシングコイルの４つの内径側コーナ部のうちの少なくとも２つに当接する当接部（６−１）を有するものが使用され、前記受入れ部の前記突起は前記位置決め用治具の前記当接部の外面に対してその周方向に接する突条（１−７´）で構成される。
【００２３】
一方、前記対物レンズを間にして矩形状の前記フォーカシングコイルを少なくとも２つ備える場合、前記位置決め用治具は前記少なくとも２つのフォーカシングコイルの内径面に当接する少なくとも２つの当接部（６−１）を有するものが使用され、前記対物レンズホルダーは前記少なくとも２つの当接部を受入れ可能な２つの受入れ部（１−６）を有し、前記突起として、各受入れ部の内壁に前記当接部の外面に対してその周方向に当接する突条（１−７）が設けられる。
【００２４】
前記収容部の内壁からの前記突条の突出長（Ｌ１）は、例えば前記フォーカシングコイルの内径と外径との差に略等しい値とされる。
【００２５】
本発明によればまた、対物レンズ（２）を保持するとともに該対物レンズをそのフォーカス方向に対して位置調整するためのフォーカシングコイル（３）を収容するための対物レンズホルダー（１）を有する光ピックアップの作製方法において、前記対物レンズホルダーは、前記フォーカシングコイルを一方向から収容可能な収容部（１−２）を有して該収容部に空芯のフォーカシングコイル（３）を固着するように構成されており、前記対物レンズホルダーにはまた、前記フォーカシングコイルを前記収容部内で位置決めを行う際に該フォーカシングコイルの内径面に当接する位置決め用治具（６）を前記一方向とは反対方向から受入れ可能な受入れ部（１−６）を形成するとともに、該受入れ部の内壁に前記位置決め用治具の外面に当接してその位置決めを行うための突起（１−７）を形成し、前記収容部に前記受入れ部を通して前記反対方向から前記位置決め用治具を挿入する一方、前記収容部内に位置する前記位置決め用治具に前記一方向から前記フォーカシングコイルを装着して前記突起で係止される位置で固着した後、前記位置決め用治具を抜き取るようにしたことを特徴とする光ピックアップの作製方法が提供される。
【００２６】
上記作製方法においても、前記光ピックアップが矩形状の前記フォーカシングコイルを１つ備えるものである場合、前記位置決め用治具として、少なくとも前記フォーカシングコイルの４つの内径側コーナ部のうちの少なくとも２つに当接する当接部（６−１）を有するものを使用し、前記受入れ部の前記突起は前記位置決め用治具の前記当接部の外面に対してその周方向に接する突条（１−７´）で構成される。
【００２７】
上記作製方法においてはまた、前記光ピックアップが前記対物レンズを間にして矩形状の前記フォーカシングコイルを少なくとも２つ備えるものである場合、前記位置決め用治具として、前記少なくとも２つのフォーカシングコイルの内径面に当接する少なくとも２つの当接部（６−１）を有するものを使用し、前記対物レンズホルダーには前記少なくとも２つの当接部を受入れ可能な少なくとも２つの受入れ部（１−６）が形成され、前記突起として、各受入れ部の内壁に前記当接部の外面に対してその周方向に当接する突条（１−７）が設けられる。
【００２８】
ここで、上記括弧内の参照符号は本発明の理解を容易にするために付した一例であって、本発明は、上記参照符号で示された例に限定されるものではないことは勿論である。
【発明の効果】
【００２９】
本発明によれば、対物レンズホルダーに位置決め用治具を位置決めするための突起を設けたことにより、位置決めされた位置決め用治具にフォーカシングコイルを装着するだけでフォーカシングコイルの位置決めが行われる。これにより、対物レンズホルダーアセンブリの組み立て作業が非常に簡単になる。また、対物レンズホルダーに対するフォーカシングコイルの位置決め精度が向上するので、フォーカシング精度のばらつきが抑制される。その結果、対物レンズホルダーアセンブリの組み立て時の歩留まりが向上するとともに、組み立て工数及び時間の削減により、光ピックアップの製造原価の低減化を実現できる。
【発明を実施するための最良の形態】
【００３０】
図１〜図４を参照して、本発明の第１の実施の形態による光ピックアップについて説明する。
【００３１】
図１は第１の実施の形態による光ピックアップにおける対物レンズ駆動装置の組み立て前の分解斜視図であり、図２は組み立て後の斜視図である。
【００３２】
本実施の形態においては、前述した対物レンズホルダー５０とは別の構造を持つ対物レンズホルダー（以下、レンズホルダーと呼ぶ）１を備える。レンズホルダー１は、中央に対物レンズ２を装着するための貫通穴によるレンズ装着部１−１を有し、両側には空芯のフォーカシングコイル３を収容するための貫通穴による収容部１−２を有する。
【００３３】
後で詳しく説明されるように、収容部１−２には図１に示される下側からフォーカシングコイル３とチルトコイル４とが重ねて収容、固着される。収容部１−２はまた、その上側の開口がレンズホルダー１の上側から位置決め用治具（後述する）を挿入するための受入れ部１−６として利用される。レンズホルダー１の４つの外側壁のうち、トラッキング方向、つまり幅方向に平行な２つの外側壁には収容部１−２に対応する箇所にそれぞれ、トラッキングコイル５を取り付けるための取付け部１−３が設けられている。
【００３４】
レンズホルダー１は、本実施の形態では、６本のサスペンションワイヤ１１によりダンパーベース１０で支持される。つまり、ダンパーベース１０におけるタンジェンシャル方向に平行な２つの側壁にはそれぞれ、３本のサスペンションワイヤ１１の一端を支持するための３段の支持部１０−１が形成されている。各サスペンションワイヤ１１の一端は支持部１０−１を貫通し、突き抜けた部分で固着される。一方、レンズホルダー１におけるタンジェンシャル方向に平行な２つの側壁にはそれぞれ、３本のサスペンションワイヤ１１の他端を支持するための３つの支持部１−５が形成されている。各サスペンションワイヤ１１の他端は支持部１−５を貫通し、突き抜けた部分で固着される。
【００３５】
周知のように、これらの６本のサスペンションワイヤ１１は、上記の各種コイルと外部回路、つまり対物レンズ駆動装置の駆動回路とを電気的に接続するための配線としても利用される。
【００３６】
レンズホルダー１の下側には、上記の各種コイルとの間で磁気回路を形成するためのヨーク１５と４つのマグネット１６との組合わせ体が配置される。ヨーク１５は、互いに対向し合う第１、第２の立上げ部１５−１、１５−２を有する。第１の立上げ部１５−１は、レンズホルダー１の一方の側壁に取り付けられた２つのトラッキングコイル５と間隔をおいて対向する。第２の立上げ部１５−２は、レンズホルダー１の他方の側壁に取り付けられた２つのトラッキングコイル５と間隔をおいて対向する。ヨーク１５はまた、第１の立上げ部１５−１と第２の立上げ部１５−２との間に、互いに対向し合う２つの第３の立上げ部１５−３を有する。２つの第３の立上げ部１５−３はそれぞれ、レンズホルダー１の収容部１−２に収容されたフォーカシングコイル３内に挿通するようにされる。なお、第２の立上げ部１５−２には、レンズホルダー１に装着された対物レンズ２に対するレーザビームの光路を確保するために切欠き１５−２ａが形成されている。
【００３７】
４つのマグネット１６のうちの２つは第１の立上げ部１５−１の内面側に取り付けられて２つのトラッキングコイル５に対向し、残りの２つは第２の立上げ部１５−２の内面側に取り付けられて２つのトラッキングコイル５に対向する。
【００３８】
ダンパーベース１０はネジ１２によりヨーク１５の第１の立上げ部１５−１に取り付けられて一体化される。このため、ダンパーベース１０の側面にはネジ１２の頭部を収容可能な凹部１０ａが形成されるとともにネジ１２のネジ部を通すための貫通穴が形成されている。第１の立上げ部１５−１における上記の貫通穴に対応する箇所にはネジ１２を螺入するためのネジ穴１５−１ａが形成されている。ダンパーベース１０の上記側面にはまた、上記の外部回路との接続のためのプリント配線基板１３が取り付けられ、各サスペンションワイヤ１１の一端が接続される。
【００３９】
ヨーク１５にはまた、本対物レンズ駆動装置の組立て後、これを光学ベース（図示せず）に取り付ける際に、光学ベースへの固定及びスキュー角調整を行うための取付け片１５−５、１５−６が設けられている。取付け片１５−５はスキュー角調整時の支点として作用するものである。取付け片１５−６には光学ベース側からスキュー角調整用のネジ（図示せず）を螺入するための穴１５−６ａが形成されている。なお、スキュー角調整を行うためには、１つの支点と２つのネジによる調整箇所が必要である。本形態では、他の１つの調整箇所をダンパーベース１０に設けるようにしている。つまり、ダンパーベース１０には第１の立上げ部１５−１側に向けて突出部１０−２が形成され、この突出部１０−２に光学ベース側からスキュー角調整用のネジが螺入されるナット１４を受けるための凹部１０ｂが形成されている。このため、ダンパーベース１０は、第１の立上げ部１５−１に対して突出部１０−２の突出長だけ離れた状態でヨーク１５に取り付けられ、一体化される。なお、ダンパーベース１０は光学ベースに固定されるものであり、この固定は光学ベース側からナット１４に螺入されたネジで行われる。
【００４０】
上記の他に、レンズホルダー１において支持部１−５が形成されている２つの側壁にはそれぞれ、サスペンションワイヤ１１と各種コイルとの接続を行うための回路基板１７が取り付けられる。また、対物レンズ２は、２つのバンパー１８によりレンズホルダー１に押さえるようにされる。更に、レンズホルダー１の上側には、ヨーク１５との間で磁気回路を形成するためのアッパーヨーク１９が装着される。
【００４１】
以上のような構成により組み立てられた後の対物レンズ駆動装置の全体図が図２である。
【００４２】
なお、光学ベースには、レーザ光源からのレーザビームを対物レンズ２を通して光ディスクに照射する光学経路と、光ディスクからの反射光を受光器に導くための光学経路も構成されるが、ここでは図示、説明は省略する。
【００４３】
次に、図３〜図４を参照して、レンズホルダーアセンブリの組み立てについて説明する。図３は、レンズホルダー１と、これに取り付けられるフォーカシングコイル３、チルトコイル４、及びトラッキングコイル５の各種コイルの分解斜視図である。図４（ａ）は、位置決め用治具６を用いてフォーカシングコイル３及びチルトコイル４をレンズホルダー１内で位置決めする様子を断面図で示し、図４（ｂ）は、レンズホルダー１内にフォーカシングコイル３及びチルトコイル４を位置決めした後、固定した状態を断面図で示す。対物レンズ２のレンズホルダー１への装着は、レンズホルダー１に各種コイルを取り付けた後に行われる。
【００４４】
図４（ａ）において、本実施の形態では、レンズホルダー１として、空芯の矩形状のフォーカシングコイル３及びチルトコイル４を収容するための収容部１−２を対物レンズ２を間にして２つ備えたものが使用される。フォーカシングコイル３及びチルトコイル４は、いずれもその内径側が寸法精度上の基準を持つように作製されることは前述した通りである。この場合、位置決め用治具６は、フォーカシングコイル３及びチルトコイル４の内径面に当接する柱状の２つの当接部６−１を有するものが使用される。レンズホルダー１における２つの収容部１−２の上側の開口は、本来は第３の立上げ部１５−３を露出させるためのものであるが、２つの当接部６−１を受入れるための受入れ部１−６として利用される。
【００４５】
本実施の形態では、２つの受入れ部１−６の内壁にそれぞれ、当接部６−１の外面に対してその周方向に当接する突条（突起）１−７を設けることにより、この突条１−７で当接部６−１の位置決めガイドを行うようにしている。つまり、本形態では、突条１−７が受入れ部１−６の四周にわたって形成されて矩形の開口を規定する。勿論、突条１−７で規定される矩形の開口の寸法及び加工精度と、当接部６−１の断面形状の寸法及び加工精度は、フォーカシングコイル３及びチルトコイル４の内径側の寸法及び加工精度と略同じになるように作られている。
【００４６】
その結果、位置決め用治具６の当接部６−１をレンズホルダー１の収容部１−２に挿入すると、当接部６−１は突条１−７により自動的に収容部１−２内で位置決めされる。
【００４７】
続いて、上記のようにして位置決めされた当接部６−１に対して、収容部１−２の下側からフォーカシングコイル３及びチルトコイル４を装着し、突条１−７に突き当たるまで押し込むと、フォーカシングコイル３及びチルトコイル４もまた当接部６−１により自動的に収容部１−２内で位置決めされる。つまり、フォーカシングコイル３及びチルトコイル４の外径側に寸法上のばらつきがあったとしても、フォーカシングコイル３及びチルトコイル４はそれらの内径側で位置決めされるので、上記寸法上のばらつきの影響をまったく受けない。その結果、フォーカシングコイル３及びチルトコイル４は、それらの中心軸が収容部１−２の中心軸と一致した状態にて固着される。
【００４８】
なお、収容部１−２の内壁からの突条６−１の突出長Ｌ１は、フォーカシングコイル３のコイル部の肉厚、すなわち内径と外径との差に略等しい値とされる。また、フォーカシングコイル３及びチルトコイル４の固定は、収容部１−２の内壁とコイルとの間に接着剤を塗布することで実現される。接着剤の塗布は、あらかじめ収容部１−２の内壁とコイルの外径部に塗布しておいても良いし、コイルを収容した後に収容部１−２の内壁とコイルとの間に接着剤を充填するようにしても良い。いずれにしても、フォーカシングコイル３及びチルトコイル４の位置決め、固定が終了したら、位置決め用治具６はレンズホルダー１から抜き取られる。
【００４９】
以上のようにして、図４（ｂ）に示すように、フォーカシングコイル３及びチルトコイル４は、収容部１−２内で正確に位置決めされた状態でレンズホルダー１に固定される。
【００５０】
なお、上記の形態は、レンズホルダー１が対物レンズ２を間にしてフォーカシングコイル４を２つ備える光ピックアップの場合である。光ピックアップは、このようなものに限らず、様々なタイプのものが提供されている。例えば、レンズホルダーが、対物レンズを中心とする対角線上に４個のフォーカシングコイルを備える場合もある。本発明は、このような光ピックアップに対しても上記形態とまったく同様に適用され得る。簡単に言えば、位置決め用治具として、４つのフォーカシングコイルの内径面に当接する４つの当接部を有するものを使用する。一方、レンズホルダーには４つの当接部を受入れ可能な４つの受入れ部が形成され、各受入れ部の内壁に各当接部の外面に対してその周方向に当接する突条が設けられれば良い。
【００５１】
また、突条は、当接部の四周全域にわたって当接する必要は無く、少なくとも当接部の４つのコーナ部に当接するような突起状に形成されていても良い。また、レンズホルダーに収容されるコイルは矩形状である必要は無く、例えば環状や楕円形状のコイルでも良い。この場合、当接部の断面形状も円形や楕円形状にされる。
【００５２】
更に、チルトコイルは、必須の構成要素ではなく、省略されても良い。
【００５３】
図５を参照して、本発明の第２の実施の形態について説明する。本第２の実施の形態は、矩形状のフォーカシングコイルを１つ備える光ピックアップに適用される。つまり、本形態では、レンズホルダー１´の中央に対物レンズを装着するための貫通穴によるレンズ装着部１−１を有し、その下側には空芯の矩形状のフォーカシングコイル３´を収容するための収容部１−２´を有する。この場合、位置決め用治具としては、第１の実施の形態において使用された位置決め用治具６と同じもの、つまり２つの当接部６−１を有するものが使用される。そして、位置決め用治具６の２つの当接部６−１は、フォーカシングコイル３´の４つの内径側コーナ部に当接する。なお、図５（ｂ）では、レンズ装着部の図示を省略している。
【００５４】
一方、レンズホルダー１´は、２つの当接部６−１を受入れるための２つの受入れ部１−６を有する。そして、各受入れ部１−６の内壁には、当接部６−１の４つのコーナのうちの２つに当接する２つの突条１−７´が設けられる。従って、レンズホルダー１´には、その４つのコーナ部に対応する箇所に１個ずつ、合計４つの突条１−７´が設けられる。勿論、隣接する２つの突条１−７´に代えて、当接部６−１の３つの側面に当接する１条の突条が設けられても良い。
【００５５】
フォーカシングコイル３´は、その中心軸が収容部１−２´の中心軸と一致するように装着、固定されるが、その際の位置決め、固定は第１の実施の形態とまったく同じである。また、チルトコイルは示されていないが、チルトコイルが装着される場合も第１の実施の形態と同じである。
【００５６】
この第２の実施の形態は、図６〜図９を参照して説明したような、フォーカシングコイルを１個備える光ピックアップにも適用可能である。但し、図６〜図９においては、フォーカシングコイル５２を装着するためのフレーム部５４におけるレンズ装着部側に２つのトラッキングコイルが装着される。このため、フレーム部５４に、図５で説明したような４つの突条を形成することはできない。この場合、フレーム部５４には、図５（ｂ）に示した４つの突条１−７´のうち、上側の２つの突条が形成されれば良い。一方、フレーム部５４の内側は完全な開口であるので、位置決め用治具における当接部は、フォーカシングコイル５２の内径側の断面形状に対応する断面形状を持つ１つの当接部で良い。
【産業上の利用可能性】
【００５７】
本発明に係る光ピックアップは、光ディスクドライブ、特に、薄型の光ディスクドライブに最適であり、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための光ディスクドライブ全般に適用可能である。また、１種類の光ディスクのみに対して対応可能な１波長対応光ピックアップだけでなく、２種類の光ディスクに対応可能な２波長対応光ピックアップにも適用可能である。
【図面の簡単な説明】
【００５８】
【図１】本発明の第１の実施の形態による光ピックアップにおける対物レンズ駆動装置の組み立て前の分解斜視図である。
【図２】図１の対物レンズ駆動装置の組み立て後の斜視図である。
【図３】図１及び図２の対物レンズ駆動装置の対物レンズホルダー部分の分解斜視図である。
【図４】対物レンズホルダーに対するフォーカシングコイル及びチルトコイルの装着を説明するための断面図であり、図４（ａ）は各コイルの装着前、図４（ｂ）は各コイルの装着後について示す。
【図５】本発明の第２の実施の形態による、対物レンズホルダーに対するフォーカシングコイルの装着を説明するための断面図であり、図５（ａ）はコイルの装着前、図５（ｂ）はフォーカシングコイルを除いて対物レンズホルダーの下面側から見た図である。
【図６】従来の対物レンズ駆動装置を上面側から見た斜視図である。
【図７】図６の対物レンズ駆動装置を下面側から見た斜視図である。
【図８】図６、図７の対物レンズ駆動装置の対物レンズホルダー部分の斜視図である。
【図９】図８の対物レンズホルダー部分を下面側から見た斜視図である。
【符号の説明】
【００５９】
１、５０    対物レンズホルダー
２、５６    対物レンズ
３、５２    フォーカシングコイル
４    チルトコイル
５、５８    トラッキングコイル
１０、２０    ダンパーベース
１１、３１    サスペンションワイヤ
１５    ヨーク
１６    マグネット
１１０    対物レンズ駆動装置
【図１】
2006012354.tif 000003
【図２】
2006012354.tif 000004
【図３】
2006012354.tif 000005
【図４】
2006012354.tif 000006
【図５】
2006012354.tif 000007
【図６】
2006012354.tif 000008
【図７】
2006012354.tif 000009
【図８】
2006012354.tif 000010
【図９】
2006012354.tif 000011